(57)【特許請求の範囲】
【請求項１】
短絡／開放の状態が信号として取り込まれるように構成された接点を有する配線パターンを備えるプリント基板と、前記接点に対向して配置され押圧される際に前記接点を短絡する導通部材と、この導通部材を接点に対して常開状態に保つ弾性を有する支持部材と、
前記プリント基板を収納するケースと、このケースに設けられ、前記プリント基板をこのケースに収納した際に前記導通部材を押圧して前記接点を短絡状態に保つ押圧部材と、この押圧部材の削除を可能にする切取手段とを有することを特徴とするスイッチ。
【請求項２】
上記プリント基板は、リモートコントローラに内蔵されるプリント基板であり、上記配線パターンの接点は、上記リモートコントローラにより制御される機器のアドレス切換用であることを特徴とする請求項1に記載のスイッチ。
【請求項３】
上記押圧部材は、ケースの蓋部材により隠される位置に設けられたことを特徴とする請求項２に記載のスイッチ。
【発明の詳細な説明】
【発明の属する技術分野】
本発明は、スイッチの構造に係り、特にリモートコントローラに適用されるスイッチ構造に関するものである。
【従来の技術】
一般に、空気調和機のリモートコントローラを例にすると、同一室内又は二間続きの室内空間に同一メーカーの同一機種の空気調和機を複数台、例えば２台設置した場合、それぞれ空気調和機毎に別個のリモートコントローラが必要であった。この場合、１つのリモートコントローラを操作すると、この操作により制御しようとする室内ユニットのもう一方の室内ユニットも制御されるという混信が発生することがあった。
この混信を防止するためには、一方の空気調和機のアドレスを切り換えるのが一般的であり、そのために、送信アドレスの異なるリモートコントローラを別に買入する必要があった。尚、この時、空気調和機の側はジャンパー線を切るなどして新しいアドレスに対応させていた。
【発明が解決しようとする課題】
ところが、上述のような空気調和システムでは、付属のリモートコントローラの他に別途リモートコントローラを用意しなければならない問題があった。
また、このような混信対策用のリモートコントローラは通常アドレス切換スイッチを備えてアドレスの選択ができるものであり、小型（例えば２ｍｍｘ１．５ｍｍｘ数ｍｍ）のスイッチを備え、この分リモートコントローラのコストも上昇してしまう。
本発明の課題は、上述の事情を考慮してなされたものであり、構造を簡素化してコストを低減できるスイッチを提供することにある。
【課題を解決するための手段】
請求項１記載の発明は、短絡／開放の状態が信号として取り込まれるように構成された接点を有する配線パターンを備えるプリント基板と、前記接点に対向して配置され押圧される際に前記接点を短絡する導通部材と、この導通部材を接点に対して常開状態に保つ弾性を有する支持部材と、前記プリント基板を収納するケースと、このケースに設けられ、前記プリント基板をこのケースに収納した際に前記導通部材を押圧して前記接点を短絡状態に保つ押圧部材と、この押圧部材の削除を可能にする切取手段とを有することを特徴とする特徴とするものである。
請求項２記載の発明は、請求項１に記載の発明において、上記プリント基板は、リモートコントローラに内蔵されるプリント基板であり、上記配線パターンの接点は、上記リモートコントローラにより制御される機器のアドレス切換用であることを特徴とするものである。
請求項３記載の発明は、請求項２に記載の発明において、上記押圧部材は、ケースの蓋部材により隠される位置に設けられたことを特徴とするものである。
請求項１に記載の発明には、次の作用がある。
押圧部材は、切除される前の装着時に、支持部材の弾性力に抗して導通部材をプリント基板における配線パターンの接点に接触させて、この接点を短絡状態とし、切除時に、導通部材が支持部材の弾性力により配線パターンの接点から離れて、上記接点を開放状態とすることから、押圧部材の装着と切除によってスイッチの動作を切り換えることができるので、構造を簡素化してコストを低減できる。請求項２に記載の発明には、次の作用がある。
リモートコントローラのアドレスの切換えが簡単な構造にて実施できるので、リモートコントローラ自体のコストを低減でき、しかも、リモートコントローラによる機器の混信対策用に他のリモートコントローラを別途用意する必要がない。請求項３に記載の発明には、次の作用がある。
押圧部材が、ケースの蓋部材により隠される位置に設けられたことから、押圧部材を切除した後でも、ケースの内部に与える影響がなく、また、ケースの外観を損なうこともない。
【発明の実施の形態】
以下、本発明の実施の形態を図面に基づいて説明する。
図１は、本発明に係るスイッチの一実施の形態が適用されたリモートコントローラを用いた空気調和機の設置例を示す構成図である。
この図１に示す空気調和システムは、室外ユニット１１Ａに室内ユニット１２Ａが冷媒配管１３により接続され、室外ユニット１１Ｂに室内ユニット１２Ｂが冷媒配管１４により接続され、これらの室内ユニット１２Ａ及び１２Ｂが同一の室内１５に設置されて、この室内１５を冷房又は暖房する。尚、これら２台の空気調和機は同一メーカー同一機種である。
室内ユニット１２Ａ、１２Ｂはそれぞれ別個のワイヤレス型のリモートコントローラ１６Ａ、１６Ｂからの制御信号により制御される。これゆえ、室内ユニット１２Ａ及び１２Ｂが、リモートコントローラ１６Ａ及び１６Ｂのそれぞれの制御対象機器となる。この時、室内ユニット１２Ａとリモートコントローラ１６Ａとが同一のアドレスＡを使用し、室内ユニット１２Ｂと１６Ｂとが同一のアドレスＢを使用し、室内ユニット１２Ａ、１２Ｂは、アドレスの一致しているリモートコントローラ１６Ａ、１６Ｂからの制御信号のみにて制御される。
室内ユニット１２Ａ及び１２Ｂのアドレスの選択は、ユニット本体に設けられた制御基板上のジャンパー線（不図示）の切断と非切断とによってなされる。室内ユニット１２Ａはジャンパー線の非切断によりアドレスＡが選択され、室内ユニット１２Ｂはジャンパー線の切断によりアドレスＢが選択される。また、リモートコントローラ１６Ａ及び１６Ｂのアドレスの選択（変更）は、それらの内部に設置されたアドレス切換スイッチ３０による後述の操作（押圧爪３６の切除、非切除）によってなされる。
上記リモートコントローラ１６Ａ及び１６Ｂは、図２〜図４に示すように、互いに爪が嵌って接合可能なメインケース１７及びサブケース１８に、ガイド板１９、プリント基板２０及び支持部材としての支持プレート２１が内蔵されたものである。
サブケース１８には液晶表示パネル２２（図１）が配設されると共に、蓋部材としての電池等カバー２３がスライドして着脱自在に装着される。この電池等カバー２３は、サブケース１８に開設されたカバー装着開口４０に装着される。また、このガイド板１９には、後述の操作キー３１が挿通されるキー挿入孔２９が複数開口されている。
ガイド板１９は、図３および図４に示すように、プリント基板２０及び支持プレート２１の上方を覆っている。支持プレート２１はプリント基板２０とガイド板１９との間に挟持されている。このガイド板１９には一端側に、電池２７を収納するための電池装着部２８が窪んで形成されている。サブケース１８には、カバー装着開口４０内に位置するガイド板１９、電池装着部２８及びその周囲を隠すために、カバー装着開口４０に電池等カバー２３がスライドして着脱自在に装着されている。
尚、サブケース１８にもキー挿入孔が設けられており、電池等カバー２３が閉じた状態でも操作されるキーが設けられる。
プリント基板２０には、図５に示すように、室内ユニット１２Ａ、１２Ｂの運転、停止や温度設定など室内ユニット１２Ａ、１２Ｂの各種の動作を制御するための複数のキーに対して配線パターン２４が形成されており、各配線パターン２４に一種類又は二種類の接点２５が設けられている。これらの接点２５が短絡又は開放されて、上述の各種の動作が制御可能に設けられる。
支持プレート２１は、図３及び図４に示すように、配線パターン２４が形成されたプリント基板２０の面上を覆うように、この面に接触して配置される。このプリント基板２０は、弾性に富み、かつ非導電性の例えばゴム材にて構成される。この支持プレート２１には、プリント基板２０の接点と対向する面と反対側の面に、図２に示す複数の操作キー３１につながる突起が一体に突設され、これらの操作キー３１がガイド板１９のキー挿通孔２９に挿通される。
また、支持プレート２１において、プリント基板２０の接点２５に接する面には、導通部材３２（図５）が貼着される。これらの導通部材３２は、導電性を有する例えばカーボンを含有したゴムにて構成される。任意の操作キー３１が押圧操作されることにより、その押圧された操作キー３１に対応する導通部材３２が、対応する接点２５に接触して、この接点を短絡とし、室内ユニット１２Ａ、１２Ｂに任意の動作を実行させる。
さて、前述のアドレス切換スイッチ機構３０は、図５に示すように、プリント基板２０に形成されて、接点３３ａ、３３ｂを覆い、電気的につながって同電位に保たれる配線パターン３４ａ、３４ｂと、図２〜図４に示す上述の支持プレート２１に支持された導通部材３５と、上述のガイド板１９に設けられた押圧部材としての押圧爪３６と、を有して構成される。
尚、接点３３ａ、３３ｂは被覆絶縁された配線パターンを介してマイコン等の素子へつながり、短絡／開放状態がスキャンされる。
図５に示す配線パターン３４ａの接点３３ａと配線パターン３４ｂの接点３３ｂは、導通部材３５の接触により短絡されて、リモートコントローラ１６Ａ又は１６Ｂ（本実施の形態ではリモートコントローラ１６Ａ）のアドレスをＡに切り換えて設定し、導通部材３５の非接触により開放されて、リモートコントローラ１６Ａ又は１６Ｂ（本実施の形態ではリモートコントローラ１６Ｂ）のアドレスをＢに切り換えて設定する。
導通部材３５は、支持プレート２１において導通部材３２が貼着されたと同一の面に貼着されて支持され、導電性を有する例えばカーボンにて構成される。支持プレート２１には、この導通部材３５が貼着された面と反対側の面に、突部３７が一体に形成されている。上述のように、導通部材３５は、図４（Ａ）に示す如く、配線パターン３４ａの接点３３ａと配線パターン３４ｂの接点３３ｂとに接触して、これらの接点３３ａ及び３３ｂを短絡状態とする。また、導通部材３５は、図４（Ｂ）に示す如く、上記接点３３ａ及び３３ｂから離反して、これらの接点３３ａ及び３３ｂを開放状態とする。
押圧爪３６は、図２に示すように、ガイド板１９において、電池装着部２８の近傍で電池等カバー２３により隠される位置、つまりカバー装着開口４０内に設けられる。この押圧爪３６は、基部に設けられた薄肉の薄肉部３８と、両側縁に設けられたブリッジ３９によってガイド板１９に連設される。これら切取手段としての薄肉部３８及びブリッジ３９を工具又は指を用いてガイド板１９から切断することにより、押圧爪３６が切除可能に構成される。
この押圧爪３６は、切断される前のガイド板１９への装着（非切除）時には、図３及び図４（Ａ）に示すように、支持プレート２１における突部３７に接触し、支持プレート２１の弾性力に抗して導通部材３５を配線パターン３４ａの接点３３ａと配線パターン３４ｂの接点３３ｂとに接触させ、これらの接点３３ａ及び３３ｂを短絡状態として、リモートコントローラ１６Ａ又は１６Ｂ（本実施の形態ではリモートコントローラ１６Ａ）のアドレスをＡに設定する。また、押圧爪３６の切断時には、図４（Ｂ）に示すように、導通部材３５が支持プレート２１の弾性力によって、配線パターン３４ａの接点３３ａ及び配線パターン３４ｂの接点３３ｂから離反し、これらの接点３３ａ及び３３ｂを開放状態として、リモートコントローラ１６Ａ及び１６Ｂ（本実施の形態ではリモートコントローラ１６Ｂ）のアドレスをＢに設定する。
従って、上記実施の形態におけるアドレス切換スイッチ機構３０によれば、次の効果▲１▼〜▲３▼を奏する。
▲１▼押圧爪３６は、切除される前のガイド板１９への装着時に、支持プレート２１の弾性力に抗して導通部材３５をプリント基板２０における配線パターン３４ａの接点３３ａ及び配線パターン３４ｂの接点３３ｂに接触させて、これらの接点３３ａ及び３３ｂを短絡状態とし、リモートコントローラ１６Ａ又は１６Ｂ（本実施の形態ではリモートコントローラ１６Ａ）のアドレスをＡに切換設定し、切除時に、導通部材３５が支持プレート２１の弾性力により、配線パターン３４ａの接点３３ａ及び配線パターン３４ｂの接点３３ｂから離れて、これらの接点３３ａ及び３３ｂを開放状態とし、リモートコントローラ１６Ａ又は１６Ｂ（本実施の形態ではリモートコントローラ１６Ｂ）のアドレスをＢに切換設定することから、押圧爪３６の装着と切除によって、アドレスの切換動作を実施して室内ユニット１２Ａ、１２Ｂの混信を防止できるので、アドレス切換スイッチ機構３０の構造を簡素化してコストを低減でき、従って、リモートコントローラ１６Ａ及び１６Ｂ自体のコストも低減できる。
▲２▼リモートコントローラ１６Ａ、１６Ｂは全く同一の構造であり、それぞれ室内ユニット１２Ａ、１２Ｂに付属のリモートコントローラである。そして、リモートコントローラ１６Ｂは、アドレス切換スイッチ機構３０の押圧爪３６を切除することのみによってアドレスＢのリモートコントローラに設定できる。このため、従来の如く、混信対策用のリモートコントローラを、付属リモートコントローラ以外に別途用意する必要がないので、リモートコントローラの機種数を低減できる。
▲３▼アドレス切換スイッチ機構３０の押圧爪３６が、リモートコントローラ１６Ａ及び１６Ｂにおいて、電池等カバー２３により隠される位置に設けられたことから、押圧爪３６を切除した後でも、リモートコントローラ１６Ａ及び１６Ｂの内部に与える影響が無く、また、リモートコントローラ１６Ａ及び１６Ｂの外観を損なうこともない。
以上、一実施の形態に基づいて本発明を説明したが、本発明はこれに限定されるものではない。
例えば、押圧爪３６の表面に「Ａ」を、支持プレート２１の突部３７の表面に「Ｂ」をそれぞれ付し、押圧爪３６が切除されたときには突部３７の「Ｂ」が現れるようにして、リモートコントローラ１６Ａ、１６Ｂに設定されたアドレスを表示させるようにしてもよい。
また、アドレス切換スイッチ機構３０の押圧爪３６が設けられるガイド板１９がサブケース１８と別体のものを述べたが、サブケース１８が支持プレート２１をメインケース１７に固定させると共に、このサブケース１８に押圧爪３６が形成されてもよい。また、押圧爪３６は、電池等カバー２３にて隠される位置に設けられたが、他のカバーによって隠される位置に設けられても良い。
更に、上記実施の形態では、空気調和システム１０の室内ユニット１２Ａ、１２Ｂを制御するリモートコントローラ１６Ａ及び１６Ｂにアドレス切換スイッチ機構３０が適用されたものを述べたが、ＴＶセットやビデオデッキ等を制御するリモートコントローラにアドレス切換スイッチ機構３０が適用されてもよい。また、アドレス切換スイッチ機構３０は、リモートコントローラに限らず、他の制御機器に適用されてもよい。
【発明の効果】
以上のように、本発明に係るスイッチによれば、短絡、開設により動作が切換可能な配線パターンがプリント基板に形成され、このプリント基板の上方を覆う弾性に富む支持部材に支持された導通部材が、配線パターンの接点に接触してこの接点を短絡可能とし、切除可能に設けられた押圧部材が、装着時に支持部材の弾性力に抗して導通部材を配線パターンの接点に接触可能に構成されたことから、押圧部材の装着と切除によってスイッチの動作を切り換えることができるので、構造を簡素化してコストを低減できる。
【図面の簡単な説明】
【図１】本発明に係るスイッチの一実施の形態が適用されたリモートコントローラを用いた空気調和システムを示す構成図である。
【図２】図１のリモートコントローラの一部を、電池等カバーを除いて示す部分平面図である。
【図３】図２のIII−III線に沿う断面図である。
【図４】図４（Ａ）は図２のIV−IV線に沿う断面図であり、図４（Ｂ）は図４（Ａ）の押圧爪が切除された状態を示す断面図である。
【図５】図２のリモートコントローラのプリント基板を示す平面図である。
【符号の説明】
１２Ａ、１２Ｂ  室内ユニット（制御対象機器）
１６Ａ、１６Ｂ  リモートコントローラ
１９  ガイド板
２０  プリント基板
２１  支持プレート（支持部材）
２３  電池等カバー（蓋部材）
３０  アドレス切換スイッチ機構
３３ａ、３３ｂ  接点
３４ａ、３４ｂ  配線パターン
３５  導通部材
３６  押圧爪（押圧部材）
【図１】
0004026935.tif 000002
【図２】
0004026935.tif 000003
【図３】
0004026935.tif 000004
【図４】
0004026935.tif 000005
【図５】
0004026935.tif 000006